(57)【要約】      （修正有）【課題】平線の捩れ状態のコントロールがされていて平線のエッジによる汚れの掻き取り効果が十分に発揮されるとともに、どの方向に動かしても汚れを掻き取ることのできる洗浄用布を提供する。【解決手段】第１の平線４は、コース間を縦方向に移行する縦移行部分４Ｖと、ウェール間を斜めに往復する斜行部分４Ｓとが交互に繰り返されるとともに、縦移行部分４Ｖの両端４Ｖ１，４Ｖ２及び斜行部分４Ｓの折り返し端４ＳＴがいずれも経編基布３の鎖編目列１の編み目と同一方向にオーバーラップさせた閉じ目とされ、第２の平線５は、コース間を縦方向に移行する縦移行部分５Ｖと、ウェール間を斜めに往復する斜行部分５Ｓとが交互に繰り返されるとともに、縦移行部分５Ｖの両端５Ｖ１，５Ｖ２及び斜行部分５Ｓの折り返し端５ＳＴがいずれも経編基布３の鎖編目列１の編み目と逆方向にオーバーラップさせた開き目とされている。【選択図】図１
2015165840.tif 000002
【特許請求の範囲】
【請求項１】
ウエール方向に並列して延びる合成繊維よりなる鎖編目列に対して、コース方向に１列又は複数列離れた鎖編目列との間にわたり、合成繊維よりなる緯挿入糸がジグザグ状に折り返し挿入されて経編基布が編成されるとともに、この経編基布に第１の平線と第２の平線とが、相互に１コースずれた状態で交互に挿入されており、
前記第１の平線は、コース間を縦方向に移行する縦移行部分と、ウェール間を斜めに往復する斜行部分とが交互に繰り返されるとともに、前記縦移行部分の両端及び前記斜行部分の折り返し端がいずれも前記経編基布の鎖編目列の編み目と同一方向にオーバーラップさせた閉じ目とされ、
前記第２の平線は、コース間を縦方向に移行する縦移行部分と、ウェール間を斜めに往復する斜行部分とが交互に繰り返されるとともに、前記縦移行部分の両端及び前記斜行部分の折り返し端がいずれも前記経編基布の鎖編目列の編み目と逆方向にオーバーラップさせた開き目とされたことを特徴とする洗浄用布。
【請求項２】
請求項１に記載の洗浄用布と、弾性を有する素材からなる芯材とを備え、この芯材を前記洗浄用布でくるんでなることを特徴とする洗浄具。
【発明の詳細な説明】
【技術分野】
【０００１】
本発明は、例えば、食器や鍋などの台所用品の洗浄に適した洗浄用布及びそれを用いた洗浄具に関する。
【背景技術】
【０００２】
プラスチックフィルムからなる平糸や、この平糸に金属を蒸着又は金属箔を貼着してなる金属平線を、合成繊維からなる編成編地に折り込んでなる洗浄用布やそれを用いた洗浄具がこれまでに種々提案されている。
【０００３】
例えば、特許文献１には、ポリプロピレン繊維の引揃束条とリボンテープとを繊維糸を介して織成又は編成したたわしが開示されている。これによると、食器等の表面に付着した油よごれをリボンテープの角又は角相互間のエッジで掻き落とすことができるとともに、その掻き落とした油の大部分を油の吸着性に優れた引揃束条で吸着することができるので、油の拭き取りが容易で、使用する洗剤量も少量で済む、とされている。
【０００４】
また、特許文献２には、水含みの良好な糸に金属平線（ラメ糸）を螺旋状に巻付くように絡めて１本の合成糸にしたものを、単独に又は他の繊維糸とで平織り又はネットに編成してたわし生地となし、このたわし生地の表面に糸に絡めた金属平線の屈曲部を露出せしめたたわしが開示されている。これによると、織目又は編目として表面に表われる金属平線（ラメ糸）が水含みの良好な繊維糸を芯体、乃至はベースにしてその周わりに全長に亘り絡み付いているために、金属の硬さの中にソフト感が附与されると同時に、水分の吸収、保水性が大きくなって洗浄及び磨き作用を高める効果がある。また、金属平線に過度の引張りを生じた場合は、金属平線のみ引き伸ばされても繊維糸に張力が掛らず、また逆に繊維糸が限界点近くまでのばされてもラメ糸には張力が掛らないから切断が防止され、耐久性が高められる、とされている。
【０００５】
また、特許文献３には、天然又は化学繊維からなる繊維糸を織成又は編成して下地を形成し、この下地に、水含みの良好な糸に金属平糸（ラメ糸）を絡ませて１本の合成糸にしたものを、前記下地の面に絡ますように織り込み、又は編み込んでたわし生地としてなるたわしが開示されている。これによると、織目又は編目として表面に表わされる金属平線（ラメ糸）が水含みの良好な繊維糸を芯糸にしてその周りに全長に亘り絡み付いているために、金属の硬さの中にソフト感が附与されると同時に水分の吸収、保水性が大きくなって洗浄作用、磨き作用を高める効果がある。またラメ平線に過度の引張りを生じた場合はラメ平線のみ引き伸ばされても繊維糸に張力が掛らず、また逆に繊維糸が限界点近くまで延ばされた場合でもラメ糸には張力が掛らないから切断が防止され、耐久性が高められる、とされている。
【０００６】
また、特許文献４には、天然又は化学繊維からなる１本又は複数本の繊維糸を経緯両糸又は編糸にしてベース生地を形成し、このベース生地の面に、金属平線と、これより長い繊維糸からなる丸線を絡むように巻付けて１本のパイル糸となしたものを織込んでベース生地の表面に丸線を巻付けた金属平線のパイルを形成してなるたわしが開示されている。これによると、表面に金属平線のパイルが形成されたものとなるから、それをそのままたわし面として使用すれば金属平線の屈曲したパイルによって研磨力が有効に作用する。またこの金属平線にはパイルの部分及びパイルでない部分においても繊維の丸線が巻き付いているために、水分の吸収、保水力が大きくなって、洗浄作用が高められる。また、パイル糸に引張りを生じた場合は金属平線は限界点まで延びても切断せず、その際繊維の丸線は延ばされても張力は全く掛らないので引張りによる切断が防止される、とされている。
【０００７】
また、特許文献５には、プラスチックフィルムからなる平糸と湿式紡糸されたアクリル繊維からなる紡績糸とを均一に編成した編物生地で成る払拭部材、及び、この払拭部材からなる袋にフォーム材が封入されるか或いはこの払拭部材にフォーム材を貼り合わせてなる洗浄具が開示されている。これによると、嵩高い汚れを効率的に掻き取るプラスチックフィルムからなる平糸と、洗浄具と被洗浄面とが密に接しないと掻き取れない油膜のような汚れに対して洗浄力を発揮するアクリル等の繊維からなる糸とを組み合わせて編成又は織成しているため、嵩高い汚れに対しても油膜のような汚れに対しても十分な洗浄力を有する。また、その編地又は織地において剛性を有するプラスチックフィルムの平糸が角度を持って被洗浄面と接するため、払拭の際に及ぼした力が汚れの一部に集中して作用し、汚れを被洗浄物表面から剥離するきっかけを容易に作ることができる、とされている。
【先行技術文献】
【特許文献】
【０００８】
【特許文献１】実開昭６０−１７５６１号公報
【特許文献２】実用新案登録第３０３７４５９号公報
【特許文献３】特許第３４６４１０５号公報
【特許文献４】特開平８−２８０５９５号公報
【特許文献５】特許第４６２９４８９号公報
【発明の概要】
【発明が解決しようとする課題】
【０００９】
特許文献１〜３に開示されたたわし及び特許文献５に開示された払拭部材及び洗浄具にあっては、いずれも繊維糸とフィルムテープ又は金属平線とを単に織成又は編成しただけであるため、フィルムテープ又は金属平線の捩れ状態をコントロールすることができておらず、このため、フィルムテープや金属平線のエッジによる汚れの掻き取り効果を十分に発揮させたものではなかった。
【００１０】
また、特許文献４に開示されたたわしにあっては、金属平線をパイルに形成しており、それに張力がかかった場合に延ばされるように構成しているため、引張りによる切断が防止される反面、使用を重ねていくにつれてループが延びたままとなって、経時的に汚れの掻き取り性能が低下するといった不都合があった。
【００１１】
さらに、いずれの特許文献に開示されたものも、フィルムテープや金属平線同士のエッジの向きが一方向に偏りがちになり易いため、汚れを掻き取るにはその一方向に沿った方向に制約されることから使い勝手が悪いといった不都合があった。
【００１２】
本発明は、係る点に鑑みて創案されたものであり、その目的とするところは、フィルムテープ又は金属平線の捩れ状態のコントロールがされていてフィルムテープや金属平線のエッジによる汚れの掻き取り効果が十分に発揮されるとともに、どの方向に動かしても汚れを掻き取ることのできる洗浄用布及びそれを用いた洗浄具を提供することを目的とする。
【課題を解決するための手段】
【００１３】
上記した目的を達成するため、本発明に係る洗浄用布は、ウエール方向に並列して延びる合成繊維よりなる鎖編目列に対して、コース方向に１列又は複数列離れた鎖編目列との間にわたり、合成繊維よりなる緯挿入糸がジグザグ状に折り返し挿入されて経編基布が編成されるとともに、この経編基布に第１の平線と第２の平線とが、相互に１コースずれた状態で交互に挿入されており、前記第１の平線は、コース間を縦方向に移行する縦移行部分と、ウェール間を斜めに往復する斜行部分とが交互に繰り返されるとともに、前記縦移行部分の両端及び前記斜行部分の折り返し端がいずれも前記経編基布の鎖編目列の編み目と同一方向にオーバーラップさせた閉じ目とされ、前記第２の平線は、コース間を縦方向に移行する縦移行部分と、ウェール間を斜めに往復する斜行部分とが交互に繰り返されるとともに、前記縦移行部分の両端及び前記斜行部分の折り返し端がいずれも前記経編基布の鎖編目列の編み目と逆方向にオーバーラップさせた開き目とされたことを特徴とするものである。
【００１４】
このような特定事項によれば、第１の平線は、コース間を縦方向に移行する縦移行部分と、ウェール間を斜めに往復する斜行部分とが交互に繰り返されるとともに、縦移行部分の両端及び前記斜行部分の折り返し端がいずれも経編基布の鎖編目列の開き目と同一方向にオーバーラップさせた閉じ目とされ、また、第２の平線は、コース間を縦方向に移行する縦移行部分と、ウェール間を斜めに往復する斜行部分とが交互に繰り返されるとともに、前記縦移行部分の両端及び前記斜行部分の折り返し端がいずれも前記経編基布の鎖編目列の編み目と逆方向にオーバーラップさせた開き目とされているため、第１の平線及び第２の平線の両方ともその捩れ状態をコントロールすることができる。具体的には、第１の平線の斜行部分は、その対峙する箇所が上方から視て開く方向に捩られる一方、第２の平線の斜行部分は、その対峙する箇所が上方から視て閉じる方向に捩られるとともに、第１の平線の縦移行部分と第２の平線の縦移行部分とが相互に反対方向に捩られる。そして、これら各部の捩れ状態が、第１及び第２の平線ともに全長に亘って均一に現れるため、洗浄用布の全域で、平線のエッジによる汚れの掻き取り効果が十分に発揮されるとともに、どの方向に動かしても汚れを掻き取ることのできることになる。
【００１５】
また、本発明に係る洗浄具は、上記した洗浄用布と、弾性を有する素材からなる芯材とを備え、この芯材を洗浄用布でくるんでなることを特徴とするものである。
【発明の効果】
【００１６】
本発明によれば、平線の捩れ状態のコントロールがされていて平線のエッジによる汚れの掻き取り効果が十分に発揮されるとともに、どの方向に動かしても汚れを掻き取ることのできる洗浄用布及びそれを用いた洗浄具を提供することができる。
【図面の簡単な説明】
【００１７】
【図１】図１は、本発明に係る洗浄用布の一実施形態を示す組織図である。
【図２】図２は、図１に示す洗浄用布の経編基布の鎖編目列を示す組織分解図である。
【図３】図３は、図１に示す洗浄用布の経編基布の緯挿入糸を示す組織分解図である。
【図４】図４は、図１に示す洗浄用布の第１の平線を示す組織分解図である。
【図５】図５は、図１に示す洗浄用布の第２の平線を示す組織分解図である。
【発明を実施するための形態】
【００１８】
以下、本発明に係る洗浄用布の一実施形態について、図面を参照して説明する。
【００１９】
図１〜図５に本発明の一実施形態を示す。図１は、本実施形態に係る洗浄用布を示す組織図、図２は、洗浄用布の経編基布の鎖編目列を示す組織分解図、図３は、洗浄用布の経編基布の緯挿入糸を示す組織分解図、図４は、洗浄用布の第１の平線を示す組織分解図、図５は、洗浄用布の第２の平線を示す組織分解図である。
【００２０】
この洗浄用布Ｃは、経編基布３に、第１の平線４と第２の平線５とが挿入されて編成されたものである。ここで、第１の平線４及び第２の平線５としては、例えば、プラスチックフィルムからなる平線や、該プラスチックフィルムからなる平線の表面に、例えば、金、銀、銅、アルミニウム等の金属を蒸着又はそれらの金属箔を貼着してなる金属平線が挙げられるが、これらは一例に過ぎず、食器等の油汚れを掻き落とすことができ、洗浄用としての耐久性を備えたものであれば、特に限定されない。
【００２１】
上記の洗浄用布Ｃは、具体的には次のような構成とされている。すなわち、ウエール方向に並列して延びる合成繊維よりなる鎖編目列１に対して、コース方向に１列又は複数列離れた鎖編目列１との間にわたり、合成繊維よりなる緯挿入糸２がジグザグ状に折り返し挿入されて経編基布３が編成されるとともに、この経編基布３に第１の平線４と第２の平線５とが、相互に１コースずれた状態で交互に挿入されている。
【００２２】
第１の平線４は、図１及び図４に示すように、コース間を縦方向に移行する縦移行部分４Ｖと、ウェール間を斜めに往復する斜行部分４Ｓとが交互に繰り返されるとともに、縦移行部分４Ｖの両端４Ｖ１，４Ｖ２及び斜行部分４Ｓの折り返し端４ＳＴがいずれも経編基布３の鎖編目列１の編み目と同一方向にオーバーラップさせた閉じ目とされている。
【００２３】
また、第２の平線５は、図１及び図５に示すように、コース間を縦方向に移行する縦移行部分５Ｖと、ウェール間を斜めに往復する斜行部分５Ｓとが交互に繰り返されるとともに、縦移行部分５Ｖの両端５Ｖ１，５Ｖ２及び斜行部分５Ｓの折り返し端５ＳＴがいずれも経編基布３の鎖編目列１の編み目と逆方向にオーバーラップさせた開き目とされている。
【００２４】
上記のような構成の洗浄用布Ｃは、生産過程では、例えばラッセル編み機により編成される。
【００２５】
上記経編基布３の鎖編目列１を構成する地糸並びに緯挿入糸２としては、例えば、ポリエステル繊維糸又はナイロン繊維糸を採用することができるが、洗浄用布に適した繊維であればそれら例示したものに限らない。なお、上記実施形態では、緯挿入糸２は、コース方向に１列離れた鎖編目列１との間にわたり挿入されているが、コース方向に複数列離れた鎖編目列１との間にわたり挿入されていてもよい。
【００２６】
以上説明したように、上記の洗浄用布Ｃは、第１の平線４が、コース間を縦方向に移行する縦移行部分４Ｖと、ウェール間を斜めに往復する斜行部分４Ｓとが交互に繰り返されるとともに、縦移行部分４Ｖの両端４Ｖ１，４Ｖ２及び斜行部分４Ｓの折り返し端４ＳＴがいずれも経編基布３の鎖編目列１の編み目と同一方向にオーバーラップさせた閉じ目とされ、また、第２の平線５は、コース間を縦方向に移行する縦移行部分５Ｖと、ウェール間を斜めに往復する斜行部分５Ｓとが交互に繰り返されるとともに、縦移行部分５Ｖの両端５Ｖ１，５Ｖ２及び斜行部分５Ｓの折り返し端５ＳＴがいずれも経編基布３の鎖編目列１の編み目と逆方向にオーバーラップさせた開き目とされているため、第１の平線４及び第２の平線５の両方ともその捩れ状態をコントロールすることができる。
【００２７】
すなわち、第１の平線４の斜行部分４Ｓは、図４に矢符ａで示すように、その対峙する箇所が上方から視て開く方向に捩られる一方、第２の平線５の斜行部分５Ｓは、図５に矢符ｂで示すように、その対峙する箇所が上方から視て閉じる方向に捩られるとともに、図４及び図５に矢符ｃ，ｄで示すように、第１の平線４の縦移行部分４Ｖと第２の平線５の縦移行部分５Ｖとが相互に反対方向に捩られる。そして、これら各部の捩れ状態が、第１及び第２の平線４，５ともに全長に亘って均一に現れるため、洗浄用布Ｃの全域で、平線４，５のエッジによる汚れの掻き取り効果が十分に発揮されるとともに、どの方向に動かしても汚れを掻き取ることのできることになる。
【００２８】
また、本発明に係る洗浄具は、特に図示はしないが、上記した洗浄用布Ｃと、弾性を有する素材からなる芯材とを備え、この芯材を洗浄用布Ｃでくるんでなるものである。芯材としては、例えば、スポンジが代表的であるが、これ以外に、繊維束や布を丸めたようなものであってもよく、弾性を有しているものであれば特に限定されない。なお、吸水性に優れた素材のものが、洗浄用具の芯材としては好ましい。
【符号の説明】
【００２９】
Ｃ  洗浄用布
１  鎖編目列
２  緯挿入糸
１０  経編基布
４  第１の平線
４Ｖ  縦移行部分
４Ｖ１，４Ｖ２  両端
４Ｓ  斜行部分
４ＳＴ  折り返し端
５  第２の平線
５Ｖ  縦移行部分
５Ｖ１  一端
５Ｖ２  他端
５Ｓ  斜行部分
５ＳＴ  折り返し端
【図１】
2015165840.tif 000003
【図２】
2015165840.tif 000004
【図３】
2015165840.tif 000005
【図４】
2015165840.tif 000006
【図５】
2015165840.tif 000007